(57)【要約】【課題】  花粉を始めとする各種微小粒子の吸い込みや、メガネのレンズの曇りを防止し得るマスクを提供すること。【解決手段】  マスク１０は、マスク本体部２０と、マスク本体部２０の外面を覆う外側カバー３０と、マスク本体２０に着脱可能に取り付けられるフィルタ４０とを備える。マスク本体２０の左右両側部に耳掛け紐２２が取り付けられている。外側カバー３０に紐通し孔３６が設けられており、紐通し孔３６に耳掛け紐２２を通すようになされている。耳掛け紐２２は、その取り付け位置が変更可能なようにマスク本体部２０に着脱可能になっている。【選択図】    図１
2007000378.tif 000002
【特許請求の範囲】
【請求項１】
マスク本体部と、該マスク本体部の外面を覆う外側カバーと、該マスク本体に着脱可能に取り付けられるフィルタとを備え、該マスク本体の左右両側部に耳掛け紐が取り付けられているマスク。
【請求項２】
前記外側カバーに紐通し孔が設けられており、該紐通し孔に前記耳掛け紐を通すようになされている請求項１記載のマスク。
【請求項３】
前記耳掛け紐は、その取り付け位置が変更可能なように前記マスク本体部に着脱可能になっている請求項１又は２記載のマスク。
【請求項４】
前記外側カバーが外層部及び内層部を備え、これら両層部間に前記マスク本体部が保持され、
保持された状態の前記マスク本体部の位置に対応する前記内層部の位置に開口部が設けられている請求項１ないし３の何れかに記載のマスク。
【請求項５】
前記内層部に紐通し孔が設けられており、該紐通し孔に前記耳掛け紐を通すようになされている請求項４記載のマスク。
【請求項６】
前記外側カバーが、左右両側部が開口した筒状体からなり、該開口に前記耳掛け紐を通すようになされている請求項４記載のマスク。
【発明の詳細な説明】
【技術分野】
【０００１】
本発明は、例えば医療分野、食品分野、各種製造業の分野などで防塵に用いられるマスクに関し、特に衛生マスク、例えば日常生活における花粉症対策、ハウスダスト対策、風邪対策などに有効なマスクに関する。
【背景技術】
【０００２】
マスクと顔面の密着性を高めることは、微小粒子の吸い込みを防止する観点から重要である。この目的のために種々の形状のマスクが提案されている。しかし、これまで提案されているマスクでは、マスクと顔面との密着性が未だ十分なものとは言えない。特に、顔面のうちで最も起伏を有している部位である鼻付近において、マスクと顔面との間に隙間ができやすい。例えば小鼻の部分に隙間ができると、その隙間を通じて呼気が抜けてメガネのレンズを曇らせるなどの不都合が生じる。
【０００３】
また、マスクの形状によっては呼気が放出されづらくなり、両者間の空間の湿度が高まって蒸れ感が生じる場合がある。そこで、顔の輪郭に沿った保形具の外面に、プリーツを設けた伸縮性生地からなるフィルタを取り付けたマスクが提案されている（特許文献１参照）。しかし、生地の伸縮性によって密着性を高めるには限度があり、また、フィルタにしめひもが取付けられている為、顔面への保形具の押さえつける力が弱く、顔面への密着性を高めるには限度があった。
【０００４】
【特許文献１】実用新案登録第３１０５６１７号公報
【発明の開示】
【発明が解決しようとする課題】
【０００５】
従って本発明の目的は、前述した従来技術が有する欠点を解消し得るマスクを提供することにある。
【課題を解決するための手段】
【０００６】
本発明は、マスク本体部と、該マスク本体部の外面を覆う外側カバーと、該マスク本体に着脱可能に取り付けられるフィルタとを備え、該マスク本体の左右両側部に耳掛け紐が取り付けられているマスクを提供することにより前記目的を達成したものである。
【発明の効果】
【０００７】
本発明のマスクによれば、マスクと顔面との密着性が従来のマスクに比較して向上し、花粉を始めとする各種微小粒子の吸い込みを効果的に防止できる。また小鼻の付近に隙間が生じにくいので、呼気が抜けることに起因するメガネのレンズの曇りを効果的に防止できる。
【発明を実施するための最良の形態】
【０００８】
以下本発明を、その好ましい実施形態に基づき図面を参照しながら説明する。図１には、本発明のマスクの一実施形態の分解斜視図が示されている。図２には、図１に示すマスクの組立状態の斜視図が示されている。図３には、図２における縦断面が示されている。本実施形態のマスク１０は、３つの部材から構成されている。これら３つの部材は、マスク本体部２０、本体部２０の外面を覆う外側カバー３０、及び本体部２０に着脱可能に取り付けられるフィルタ４０である。外側カバー３０も本体部２０に対して着脱可能になっている。
【０００９】
図４には、本体部２０をその外面側からみた斜視図が示されている。本体部２０は、使用者の鼻から顎にかけての部位を覆う立体的な椀形をしている。本体部２０は、例えば熱可塑性樹脂の射出成形によって形成されている。本体部２０は、その中央部に格子２１が形成されている。格子２１は、その周囲に位置する枠部２３と一体的に形成されている。格子２１の部位には、該格子２１を完全に覆う大きさのフィルタ４０が着脱可能に取り付けられる。フィルタ４０の着脱の仕方については後述する。
【００１０】
本体部２０の左右両側部には、マスク１０を使用者の顔面に固定するための耳掛け紐２２がそれぞれ取り付けられている。耳掛け紐２２は、この種の材料として通常用いられている伸縮性素材から構成されている。後述するように、耳掛け紐２２はその取り付け位置が変更可能なように本体部２０に着脱可能になっている。
【００１１】
図５（ａ）及び（ｂ）には、外側カバー３０をその外面側及び内面側からみた斜視図がそれぞれ示されている。外側カバー３０は、それぞれシート状の材料からなる外層部３１及び内層部３２を備えている。外層部３１と内層部３２とは、それらの上下方向の端縁でそれぞれ接合固定されている。更に、それらの左右両側縁でそれぞれ接合固定されている。それによって、外層部３１と内層部３２との間には空間３３（図３参照）が形成されている。この空間３３には、先に述べた本体部２０が挿入される。従って本体部２０の外面は、外側カバー３０における外層部３１によって覆われることになる。一方、本体部２０の内面は、外側カバー３０における内層部３２によって覆われる。
【００１２】
外層部３１には、その幅方向に延びるプリーツ３４が複数条形成されている。プリーツ３４は下向き（図３参照）に形成されている。
【００１３】
内層部３２には、外側カバー３０内に保持された状態の本体部２０の位置に対応する位置に開口部３５が設けられている。開口部３５の輪郭は、本体部２０の輪郭よりも若干小さな略相似形になっている。外層部３１と内層部３２との間に形成される前記の空間３３（図３参照）は、開口部３５を介して外部に通じている。
【００１４】
内層部３２には、その左右両側部に紐通し孔３６がそれぞれ設けられている。紐通し孔３６は、外側カバー３０の縦方向に延びる長穴からなる。紐通し孔３６には、本体部２０に取り付けられた耳掛け紐２２が通される。耳掛け紐２２の通し方の詳細については後述する。
【００１５】
以上の構成を有するマスク１０は、その使用前は、図１に示すように３部材２０，３０，４０がそれぞれ別個になった状態になっている。そして使用に際してこれらの部材を組み立てることで図２及び図３に示す形態のマスク１０となる。これらの部材からのマスク１０の組立の手順を、図１を参照しながら説明する。先ず、フィルタ４０を本体部２０に取り付ける。本実施形態においては、本体部２０の外面にフィルタ４０を取り付けている。先に述べた通り、フィルタ４０は本体部２０における格子２１を完全に覆うように取り付けられる。
【００１６】
次に、フィルタ４０が取り付けられた本体部２０を、外側カバー３０内に挿入する。本体部２０の挿入に先立ち、本体部２０に取り付けられた耳掛け紐２２を外側カバー３０内に挿入する。耳掛け紐２２の挿入は、外側カバー３０における内層部３２に設けられた開口部３５を通じて行う。外側カバー３０内に挿入された耳掛け紐２２は、外側カバー３０における内層部３２の左右両側部に設けられた紐通し孔３６に通され、マスク１０の手前（内面側）に引き出される。
【００１７】
引き続き、本体部２０を外側カバー３０内に挿入する。本体部２０の挿入も、外側カバー３０の内層部３２に設けられた開口部３５を通じて行う。開口部３５は本体部２０よりも若干小さいものなので、開口部３５を拡げた状態で本体部２０を挿入する。本体部２０の挿入が完了した状態においては、本体部２０に取り付けられたフィルタ４０が、内層部３２に設けられた開口部３５に臨むように本体部２０の位置を整えることが好ましい。このようにして図２及び図３に示す状態が完成する。
【００１８】
本実施形態のマスク１０によれば、耳掛け紐２２が本体部２０に取り付けられており、その耳掛け紐２２を外側カバー３０に設けられた紐通し孔３６に通した状態でマスク１０を顔面に着用するので、先に述べた特許文献１に記載のマスクと比較して、マスクと顔面との密着性が向上する。従って、花粉やハウスダストを始めとする各種微小粒子の吸い込みを効果的に防止することができる。更に、呼気が漏れやすい小鼻付近においてもマスクと顔面との密着性が高いので、呼気に起因するメガネのレンズの曇りも効果的に防止される。しかも、外側カバー３０にはその外層部３１にプリーツ３４が形成されているので、外層部３１と内層部３２によって形成される空間３３を十分に確保することができ、本体部２０の挿入を容易に行うことができる。このことは、本体部２０の形状が立体的である場合に特に有効である。本体部２０の形状が立体的であることは、マスク１０を装着した状態での呼吸や会話が容易である点や、例えば女性の場合、口紅を始めとする各種化粧料が付着しにくい点から有利である。
【００１９】
しかも本実施形態のマスク１０は、外側カバー３０とフィルタ４０とで二重に微小粒子の吸い込みを阻止するので、微小粒子の進入阻止の効果が非常に高い。また、外側カバー３０やフィルタ４０が汚れた場合には、マスク１０の全体を廃棄する必要はなく、これらを交換すれば足りるので経済的である。
【００２０】
特に、本体部２０を、合成樹脂等の剛性のある素材を原料として立体的に成形することで、マスク１０と顔面との空間を安定的に維持することができ、呼吸のたびに該空間が変化してマスクが口や鼻に密着するという不都合が生じにくくなる。
【００２１】
マスク１０を構成する各部材の材料について説明すると、外側カバー３０における外層部３１としては、繊維材料のシート、例えば各種不織布やガーゼなどを用いることができる。不織布としては、例えばスパンボンド不織布、メルトブローン不織布などの見掛け密度の高い（繊維間距離の小さい）不織布を用いることが有利である。内層部３２も基本的には外層部３１と同様の材料から構成することができる。内層部３２に特に求められる性能としては、本体部２０の挿入容易性が挙げられる。また、内層部３２は使用者の顔面に直接接触する部材であることから、肌触り等の風合いが良好であることも求められる。これらの目的のために、内層部３２は伸縮性を有する布又は布様の材料から構成されていることが好ましい。
【００２２】
本体部２０は剛性の高い材料、例えば先に述べたように合成樹脂製であることが、マスク１０と顔面との空間を安定的に維持し得る点から好ましい。例えば合成樹脂を射出成形した成形体を用いることができる。或いは、真空成形、圧空成形、プレス成形した成形体を用いることができる。更には、パルプモールド法によって製造された成形体を用いることもできる。
【００２３】
フィルタ４０は、マスク１０において微小粒子の進入を主として阻止する部材である。この目的のためにフィルタ４０は、例えば、外側カバー３０と同様に不織布であったり、織布、ガーゼ、紙、抄紙体、網状体、フェルト等から構成されていることが好ましい。
【００２４】
マスク１０の装着中における蒸れの発生を防止する観点から、フィルタ４０に吸湿性材料を含ませてもよい。例えば吸水ポリマー、吸湿繊維、乾燥剤等を含ませることができる。また、マスク１０の装着中における異臭の発生を防止する観点から、各種消臭剤ないし脱臭剤をフィルタ４０に含ませることができる。そのような剤としては、例えばカンクリナイト等の鉱物、活性炭、ゼオライトなどが挙げられる。これらの剤は、例えば繊維状、粉粒状、液状であり得る。更に、フィルタ４０に例えば除菌剤、殺菌剤、抗菌剤等を含ませることもできる。これらの剤は、例えば繊維状、液状であり得る。
【００２５】
フィルタ４０は平面的なものでもよく、或いは立体的なものでもよい。本体部２０における格子２１によって形成される面が平面である場合、フィルタ４０はそれに対応して平面であることが好ましい。格子２１によって形成される面が立体面である場合、フィルタ４０はそれに対応して立体であることが好ましい。或いは、平面のフィルタ４０の適切な箇所に切り込みを入れて、格子２１によって形成される立体面に対応した立体形状になしてもよい。
【００２６】
図６ないし図８には、フィルタ４０を本体部２０に着脱可能に取り付けるための構造が示されている。図６（ａ）及び（ｂ）に示す実施形態では、フィルタ４０が本体部２０へ着脱可能に係合する。詳細には、フィルタ４０はその四隅に小開孔４１がそれぞれ形成されている。一方、本体部２０には、格子（図示せず）を取り囲む枠部２３に、突起部２４が形成されている。突起部２４は、小開孔４１に対応する位置に取り付けられている。突起部２４の頭部は球形であり、小開孔４１よりも若干大きな寸法になっている。本実施形態においては、突起部２４を小開孔４１内に押し込んで係合させることで、フィルタ４０が本体部２０に対して着脱可能に固定される。
【００２７】
フィルタ４０と本体部２０との係合関係は逆でもよい。即ち、図６（ｃ）に示すように、フィルタ４０に突起部４２を設け、一方、本体部２０の枠部２３に小開孔２５を設けてもよい。更に、図６（ｂ）と図６（ｃ）を組み合わせた形態も可能である。即ち、フィルタ４０に小開孔４１及び突起部４２を設け、一方、本体部２０の枠部２３に、小開孔４１に対応する突起部２４と、突起部４２に対応する小開孔２５を設けてもよい。
【００２８】
図７（ａ）及び（ｂ）に示す実施形態においても、フィルタ４０が本体部２０へ着脱可能に係合する。図７（ａ）に示す実施形態では、フィルタ４０は、その左右両側縁から外方に延出する耳片４３を備えている。耳片４３は、フィルタ４０の各側縁に２個ずつ設けられている。一方、本体部２０の枠部２３には、耳片４３に対応する位置に、縦方向に延びるスリット２６が設けられている。本実施形態においては、フィルタ４０の耳片４３を、本体部２０のスリット２６内に挿入することで、フィルタ４０が本体部２０に係合する。
【００２９】
図７（ｂ）に示す実施形態ではフィルタ４０は矩形である。一方、本体部２０の枠部２３には、フィルタ４０の四隅に対応する位置に、フィルタ４０の四隅を挿入できるように所定角度に傾斜したスリット２７が形成されている。本実施形態においては、フィルタ４０の四隅を、本体部２０のスリット２７内に挿入することで、フィルタ４０が本体部２０に係合する。
【００３０】
図８（ａ）及び（ｂ）に示す実施形態ではフィルタ４０は矩形である。一方、本体部２０の枠部２３には、本体部２０の幅方向に延びる案内部２８が上下一対設けられている。案内部２８はレール形状になっており、該案内部２８をフィルタ４０が摺動自在になっている。各案内部２８の一方の端部にはストッパ２９が連設されている。本実施形態においては、ストッパ２９が設けられていない側から、案内部２８内にフィルタ４０を挿入し、案内部２８内を摺動させて、フィルタ４０を所定位置に設置する。本実施形態においては、本体部２０におけるフィルタ４０の取り付け部位は平面になっている。なお本体部２０は全体としては立体形状になっているので、本実施形態の本体部２０はいわゆる２．５次元の形状であると言える。ここで２．５次元の形状とは、円筒の側面部の様に平面をねじれないように湾曲させた形状のことをいう。
【００３１】
図９及び図１０には、耳掛け紐２２を、その取り付け位置が変更可能なように本体部２０に着脱可能に取り付ける構造が種々示されている。図９（ａ）においては、本体部２０の左右両側部における枠部２３に、本体部２０の縦方向に沿って多数の係合用孔５０が設けられている。一方、耳掛け紐２２には、その両端部に係合用フック５１が取り付けられている。本実施形態においては、各フック５１を、孔５０の任意の位置に係合させることで、使用者の顔のサイズに応じ、耳掛け紐２２の長さを調節することができる。その結果、マスク１０と顔面との密着性が一層向上する。
【００３２】
図９（ｂ）においては、本体部２０の構造は図９（ａ）に示す実施形態と同様である。一方、耳掛け紐２２には、その両端部に係合用球状頭部５２が取り付けられている。頭部５２のサイズは係合用孔５０よりも若干大きくなっている。本実施形態においては、各頭部５２を任意の孔５０に押し込むことで、頭部５２が孔５０に係合する。
【００３３】
図９（ｃ）においては、本体部２０の左右両側縁に半環状の係合用ループ５３が設けられている。ループ５３は本体部２０の縦方向に沿って多数設けられている。一方、耳掛け紐２２の構造は、先に述べた図９（ａ）に示す実施形態と同様である。本実施形態においては、耳掛け紐２２の各フック５１を、任意のループ５３に引っかけることで、フック５１がループ５３に係合する。図９（ｄ）においては、本体部２０の構造は図９（ｃ）に示す実施形態と同様である。一方、耳掛け紐２２の構造は、先に述べた図９（ｂ）に示す実施形態と同様である。頭部５２のサイズはループ５３よりも若干大きくなっている。本実施形態においては、各頭部５２を任意のループ５３に押し込むことで、頭部５２がループ５３に係合する。
【００３４】
図１０（ａ）においては、耳掛け紐２２の両端部に開閉可能なクリップ５４が取り付けられている。そしてクリップ５４を、本体部２０の左右両側縁の位置において閉じることで、耳掛け紐２２が本体部２０に取り付けられる。クリップ５４の取り付け位置を適宜調整することで、使用者の顔のサイズに応じ、耳掛け紐２２の長さを調節することができる。
【００３５】
図１０（ｂ）においては、本体部２０の構造は図９（ａ）に示す実施形態と同様である。一方、耳掛け紐２２の各端部には特別な構造を設けていない。本実施形態においては、耳掛け紐２２の各端部を任意の孔５０において結束することで、耳掛け紐２２の長さを調節している。図１０（ｃ）は、本体部の構造が図９（ｃ）に示す実施形態と同様である以外は、図１０（ｂ）に示す実施形態と同様である。本実施形態においては、耳掛け紐２２の各端部を任意のループ５３において結束することで、耳掛け紐２２の長さを調節している。
【００３６】
図１０（ｄ）に示す実施形態は、先に述べた図９（ｂ）に示す実施形態に類似のものである。本実施形態おいては、本体部２０の左右両側部における枠部２３に、本体部２０の縦方向に沿って多数の係合用孔５０が設けられている。各孔５０は長孔５５によって連結されている。一方、耳掛け紐２２の構造は、図９（ｂ）に示す実施形態と同様である。本実施形態においては、耳掛け紐２２の各頭部５２を任意の孔５０に押し込み、頭部５２を孔５０に係合させ、次いで、耳掛け紐２２が所望の長さになるように長孔５５を通じて耳掛け紐２２を上下に摺動させ、所定の位置に設置する。
【００３７】
次いで、本発明のその他の実施形態について、図１１〜図１４を参照しながら説明する。その他の実施形態に関し特に説明しない点については、先に述べた実施形態に関する説明が適宜適用される。また図１１〜図１４において、図１〜図１０と同じ部材には同じ符号を付してある。
【００３８】
図１１（ａ）に示す実施形態においては、外側カバー３０が、上下が開口した筒状体からなる。筒状体における内層部３２には開口部３５が形成されている。また内層部３２における左右両側部には長孔からなる紐通し孔３６がそれぞれ形成されている。本実施形態においては、フィルタが取り付けられた本体部を筒状体の上部開口又は下部開口から筒状体内に挿入し、耳掛け紐を紐通し孔３６を介して手前に引き出す。
【００３９】
図１１（ｂ）に示す実施形態においては、縦長矩形状のシートをその横中心線Ｃに沿って二つ折りにし、二つ折りにされたシートの左右両側縁を接合することで、一辺が開口した矩形の袋状の外側カバー３０が形成されている。袋状の外側カバー３０における内層部３２には、その左右両側部に長孔からなる紐通し孔３６がそれぞれ形成されている。本実施形態においては、袋状の外側カバー３０における開口を下向きにし、該開口を通じて、フィルタが取り付けられた本体部を外側カバー３０内に上方向に挿入する。
【００４０】
図１１（ｃ）に示す実施形態では、外側カバー３０が、左右が開口した筒状体からなる。筒状体における内層部３２には開口部３５が形成されている。また内層部３２における左右両側部には長孔からなる紐通し孔３６がそれぞれ形成されている。本実施形態においては、フィルタが取り付けられた本体部を筒状体の右側又は左側の開口から筒状体内に挿入し、耳掛け紐を紐通し孔３６を介して手前に引き出す。また本実施形態の変形例として、筒状体に紐通し孔３６を設けない実施形態が挙げられる。この場合には、筒状体における左右両側部の開口に各耳掛け紐を通せばよい。
【００４１】
図１１（ｄ）に示す実施形態においては、図１１（ｂ）に示す実施形態と同様に、横長矩形状のシートをその縦中心線Ｃに沿って二つ折りにし、二つ折りにされたシートの上下両側縁を接合することで、一辺が開口した矩形の袋状の外側カバー３０が形成されている。袋状の外側カバー３０における内層部３２には、その左右両側部に長孔からなる紐通し孔３６がそれぞれ形成されている。本実施形態においては、袋状の外側カバー３０における開口を横向きにし、該開口を通じて、フィルタが取り付けられた本体部を外側カバー３０内に横方向に挿入する。
【００４２】
なお、図１１（ａ）ないし（ｄ）に示す実施形態では、紐通し孔３６が内層部３２に設けられているが、これに代えて紐通し孔を外層部３１に設けても良い。或いは、内層部３２と外層部３１の両方にまたがって紐通し孔を貫通させて設けてもよい。また、内層部３２と外層部３１の境界となる稜線上に紐通し孔があって、該孔の領域が内層部３２と外層部３１の両方にまたがってもよい。なお、本実施形態に及びその他の実施形態における紐通し孔は、耳掛け紐を通すことができる限りにおいて、その形状は開孔形状に限られず、例えばスリット形状であってもよい。
【００４３】
図１２に示す実施形態においては、外層部３１の上下方向の端縁部に、そこから延出する一対の腕部３７ａ，３７ｂがそれぞれ設けられている。腕部３７ａ，３７ｂは、矩形の外層部３１の四隅の位置から延出している。各腕部３７ａ，３７ｂは何れも細幅の帯状の形状をしている。腕部３７ａの先端部には、その内面側に止着部材３８が取り付けられている。一方、腕部３７ｂの先端部には、その外面側に、止着部材３８と係合する被着部材３９が取り付けられている。止着部材３８及び被着部材３９としては、例えば面ファスナのループ部材とフック部材の組み合わせを用いることができる。本実施形態においては、フィルタ４０が取り付けられた本体部２０の外面に、外側カバー３０の外層部３１を当接させ、その状態下に、各腕部３７ａ，３７ｂを本体部２０内面側に回り込ませる。そして、回り込んだ腕部３７ａと腕部３７ｂを、止着部材３８及び被着部材３９の係合によって固定する。これによって、外側カバー３０を本体部２０に巻き付け、本体部２０が使用者の顔面に直接接触しない様に固定する。また、腕部３７ａと腕部３７ｂとが係合固定された状態では、本体部２０の内面側に、開口部に相当する部分空間が形成される。そして各腕部３７ａ，３７ｂは、使用者の顔面に直接接触する役割を持つ内層部になる。
【００４４】
図１３に示す実施形態のマスク１０は、図１２に示す実施形態のマスクに類似のものである。両者が相違する点は、本体部２０の構造である。本実施形態においては、本体部２０の枠部２３における下端部からヒンジＨが延出している。ヒンジＨは第２の格子２１’に連設している。第２の格子２１’は、本体部２０の中央に設けられた格子２１と同形状をしている。ヒンジＨを曲げた状態においては格子２１と第２の格子２１’とが嵌合する。更に、両格子間には所定空間が形成される。この空間にフィルタ４０を位置させて、両格子によってフィルタ４０を挟持固定することで、フィルタ４０は本体部２０に取り付けられる。
【００４５】
図１４（ａ）ないし（ｃ）には、図１２及び図１３に示す実施形態のマスクに適用可能な種々の外側カバーが示されている。図１４（ａ）に示す外側カバー３０は、矩形の外層部３１における上下方向の端縁部から延出する腕部３７ａ，３７ｂを有している。腕部３７ａ，３７ｂは、矩形の外層部３１における対角線上に位置している。一方、図１４（ｂ）に示す外側カバー３０は、矩形の外層部３１における上端縁部から延出する一対の腕部３７ａを有している。腕部３７ａは、矩形の外層部３１における上端縁部の左右の端の位置から延出している。図１４（ａ）及び図１４（ｂ）に示す実施形態においては、フィルタが取り付けられた本体部の外面に、外側カバー３０の外層部３１を当接させ、その状態下に、各腕部３７ａ，３７ｂを本体部２０内面側に回り込ませる。そして、回り込んだ腕部３７ａ，３７ｂを、外層部３１に固定する。固定の手段に特に制限はなく、例えば先に述べた止着部材３８と被着部材３９の組み合わせを用いることができる。これによって、外側カバー３０を本体部に巻き付けて固定する。これらの実施形態の外側カバー３０によれば、図１２及び図１３に示す実施形態の外側カバーよりも材料の使用量を減らすことが可能であり、経済的なメリットがある。
【００４６】
図１４（ｃ）に示す外側カバー３０においては、縦長矩形状のシートをその横中心線Ｃに沿って仮想的に上下二分する。そして上半分の中央部を開口させて開口部３５を形成する。この状態のシートを横中心線Ｃに沿って山折りする。次いで、山折りにされたシートの内部に、フィルタが取り付けられた本体部を設置する。このとき、開口部３５が形成された側（つまり、仮想的に上下二分したうちの上側）が、本体部の内面側に位置し、開口部が形成されていない側（つまり、仮想的に上下二分したうちの下側）が、本体部の外面側に位置するようにする。これによって、シートを仮想的に上下二分したうちの上側が内層部３２となり、下側が外層部３１となる。
【００４７】
なお、図１４（ａ）及び（ｂ）に示す実施形態における各腕部３７ａ、３７ｂの外層部３１への固定方法や、図１４（ｃ）に示す実施形態における外層部３１と内層部３２との固定方法に特に制限はない。例えば、先に述べた図６に示す実施形態のように突起部２４と小開孔４１を適宜使用したり、図１２に示す実施形態のように止着部材３８と被着部材３９を適宜使用すればよい。また、図７に示す実施形態のようにスリット２６を設けて、各腕部を挿入してもよい。
【００４８】
以上の各実施形態のマスクは、花粉やハウスダストの吸い込み防止に特に効果的であるが、それ以外の用途にも勿論適用することができる。例えば風邪マスク、外科手術を始めとする医療分野で用いられるマスク、食品の製造、調理、弁当の製造を始めとする食品分野で用いられるマスク、半導体製造用のクリーンルームで用いられるマスク、各種製造業の分野などで防塵に用いられるマスクとして、本発明のマスクを用いることができる。
【００４９】
以上、本発明をその好ましい実施形態に基づき説明したが、本発明は前記実施形態に制限されない。例えば、これまでに説明した各実施形態を相互に組み合わせて更に別の実施形態とすることができる。
【図面の簡単な説明】
【００５０】
【図１】図１は、本発明のマスクの一実施形態を示す分解斜視図である。
【図２】図２は、図１に示すマスクの組立状態を内側からみた斜視図である。
【図３】図３は、図２における幅方向中央部での縦断面である。
【図４】図４は、マスク本体部をその外側からみた斜視図である。
【図５】図５（ａ）は、外側カバーをその外側からみた斜視図であり、図５（ｂ）は、外側カバーをその内側からみた斜視図である。
【図６】図６（ａ）ないし（ｃ）は、フィルタをマスク本体部に着脱可能に取り付けるための構造を示す模式図である。
【図７】図７（ａ）及び（ｂ）は、フィルタをマスク本体部に着脱可能に取り付けるための別の構造を示す模式図である。
【図８】図８（ａ）及び（ｂ）は、フィルタをマスク本体部に着脱可能に取り付けるための更に別の構造を示す模式図である。
【図９】図９（ａ）ないし（ｄ）は、耳掛け紐を、その取り付け位置が変更可能なように本体部に着脱可能に取り付ける構造を示す模式図である。
【図１０】図１０（ａ）ないし（ｄ）は、耳掛け紐を、その取り付け位置が変更可能なように本体部に着脱可能に取り付ける別の構造を示す模式図である。
【図１１】図１１（ａ）ないし（ｄ）は、外側カバーの他の実施形態を示す模式図である。
【図１２】図１２は、本発明のマスクの他の実施形態を示す分解斜視図である。
【図１３】図１３は、本発明のマスクの更に他の実施形態を示す分解斜視図である。
【図１４】図１４（ａ）ないし（ｃ）は、図１２及び図１３に示すマスクに適用可能な外側カバーを示す模式図である。
【符号の説明】
【００５１】
１０  マスク
２０  マスク本体部
２１  格子
２２  枠部
３０  外側カバー
３１  外層部
３２  内層部
３３  空間
３４  プリーツ
３５  開口部
３６  紐通し孔
４０  フィルタ
【図１】
2007000378.tif 000003
【図２】
2007000378.tif 000004
【図３】
2007000378.tif 000005
【図４】
2007000378.tif 000006
【図５】
2007000378.tif 000007
【図６】
2007000378.tif 000008
【図７】
2007000378.tif 000009
【図８】
2007000378.tif 000010
【図９】
2007000378.tif 000011
【図１０】
2007000378.tif 000012
【図１１】
2007000378.tif 000013
【図１２】
2007000378.tif 000014
【図１３】
2007000378.tif 000015
【図１４】
2007000378.tif 000016